(57)【要約】      （修正有）【課題】変圧器体積を小さくし出力パワーを変化させないか更に高め、損失を低下させる薄型変圧器を提供する。【解決手段】凹溝内にはそれぞれコイルを巻き付け、他の一方側には接続ピンを延伸させ、雄雌係合式の第二コイル取り付け部に設けるコイルの一方側をそれぞれ第一コイル取り付け部の中空部の両端に設けた嵌合口に嵌入し、更に第一鉄心と第二鉄心に設けた第一突出体と第二突出体を雄雌係合式の第二コイル取り付け部に貫通する嵌合口に嵌入配置し、二つの絶縁嵌合体をそれぞれ第一鉄心と第二鉄心の両側の側辺棒に嵌合することにより組立を完了させる。第一コイル取り付け部と雄雌係合式の第二コイル取り付け部及び二つの絶縁嵌合体を相互に対応させて組み合わせるため、変圧器の垂直断面の厚みを薄くし、しかも絶縁嵌合体は使用時、コイルがこの方向に磁束を生じさせるのを阻止し、一次側と二次側のコイルが生成する磁束方向を一致させる。【選択図】図４
0003163441.tif 000002
【実用新案登録請求の範囲】
【請求項１】
第一鉄心と第二鉄心と絶縁嵌合体と第一コイル取り付け部と二つの第二コイル取り付け部とにより構成される薄型変圧器において、
前記第一鉄心の断面は方形のコの字形をなし、第一鉄心の二つの側辺棒間には内部から第一突出体を延伸させ、
前記第二鉄心の断面は方形のコの字形をなし、第二鉄心の二つの側辺棒間には内部から第二突出体を延伸させ、
前記絶縁嵌合体は第一鉄心及び第二鉄心のコ字形の二つ側辺棒における中空嵌合部に対応し、
前記第一コイル取り付け部は中空部を備える対称体であり、中央には仕切り板を設け、仕切り板の両側には少なくとも一つ以上の凹溝を形成し、凹溝内にはそれぞれコイルを巻き付け、コイル取り付け部中空部の二つの開口端にはそれぞれ嵌合口を配置し、嵌合口外側の適当箇所にはそれぞれ二つの接続ピンを設け、
二つの第二コイル取り付け部はＴ字形状をなし、その中空部の一方側には仕切り板を設けて区切り少なくとも一つ以上の凹溝を形成し、凹溝内にはそれに対応するコイルを巻き付け、コイルを巻き付ける第二コイル取り付け部中空部には貫通する嵌合口を形成し、二つの第二コイル取り付け部の他の一方側端にはそれぞれ複数の接続ピンを平行配列し、
組み立てる場合、二つの第二コイル取り付け部に設けたコイルの一方側をそれぞれ第一コイル取り付け部両端に設けた嵌合口に嵌入し、第一鉄心に設けた第一突出体を接続ピン方向から第二コイル取り付け部の嵌合口に嵌入した後、二つの絶縁嵌合体の開口端をそれぞれ対応する第一鉄心の二つの側辺棒に嵌合し、また、第二鉄心の第二突出体を第二コイル取り付け部に設けた接続ピン方向から嵌合口に嵌入し、更に第二鉄心の側辺棒を既に第一鉄心の側辺棒に取り付けた絶縁嵌合体の他の開口端に嵌合することを特徴とする薄型変圧器。
【請求項２】
前記二つの第二コイル取り付け部は雄雌係合式とすることを特徴とする請求項１記載の薄型変圧器。
【考案の詳細な説明】
【技術分野】
【０００１】
本考案は薄型変圧器に関し、特に変圧器の垂直断面の厚みを薄くし、一次側と二次側コイルの生成する磁束方向を一致させ、変圧器体積を小さくし出力パワーを変化させないか更に高め、損失を低下させる薄型変圧器に係る。
【背景技術】
【０００２】
図１、図２に考案者が先行出願した特許文献１の「固定周波電源供給装置」の立体分解図及び断面図を示す。図面から理解できる通り、本公知発明は主に第一鉄心１'、第二鉄心２'、第一コイル取り付け部７、第二コイル取り付け部８により構成される。
【０００３】
第一鉄心１'と第二鉄心２'は相対位置に配置し、それにはそれぞれ第一突出体１２'と第二突出体２２'とを設ける。第一コイル取り付け部７は第一突出体１２'上に配置し、信号接続の一次側とする第一コイル取り付け部７には第一部コイル７１と第一部接続ピン７２を繞設し、且つ第一コイル取り付け部７は第一突出体１２'の延伸方向に沿って移動し、信号接続の二次側とする第二コイル取り付け部８は第二突出体２２'上に設け、前記第二コイル取り付け部８には第二部コイル８１と第二部接続ピン８２を繞設し、前記第二コイル取り付け部８は第二突出体２２'の延伸方向に沿って移動する。
【０００４】
公知の実施例において第一コイル取り付け部７と第二コイル取り付け部８には少なくとも一つ以上の仕切り板７３と仕切り板８３とを備え、それぞれコイルを巻き付ける時の仕切りとし、並びに仕切り板７３、仕切り板８３をカットして形成するコイル溝７４とコイル溝８４とを備えて、第一部コイル７１と第二部コイル８１とを巻き付ける時延伸通過する。
【０００５】
組み合わせて使用する場合、第一コイル取り付け部７の嵌合口７５と第二コイル取り付け部８の嵌合口８５とを対応させて嵌合し、前記第一コイル取り付け部７の嵌合口７５の口内側周径は第二コイル取り付け部８の嵌合口８５の外周径より若干大きくし、第一コイル取り付け部７と第二コイル取り付け部８は嵌合口７５と嵌合口８５を対応させて嵌合するためスライド伸縮結合を形成し、第一突出体１２'と第二突出体２２'上で移動する故、一次側と二次側間の磁束変化を制御し、電圧出力値を調整可能な構造とする。
【先行技術文献】
【特許文献】
【０００６】
【特許文献１】中華民国特許第Ｉ２８０７２０号明細書
【考案の概要】
【考案が解決しようとする課題】
【０００７】
しかし、前記の固定周波電源供給装置は久しく使用されているものの、使用時には次の欠点が避けられない。
【０００８】
電圧の出力量を上げるためには鉄心体積及び／或いはコイルの巻き付け数を変えなければならない。よって電圧出力を向上させるには鉄心の体積及び／或いはコイルの巻き数を拡大することが必然で、固定周波電源供給装置の体積が拡大しない状況においては公知の固定周波電源供給装置の電圧出力を向上させることはできず、しかも公知の固定周波電源供給装置の使用過程では出力端のコイルに受け取られなかった磁束は通常、磁力を失い電圧損失を引き起こす。
【０００９】
公知の固定周波電源供給装置には依然として前記の欠点が残るため、考案者はこれらの欠点に対し研究開発を進め終に本考案の誕生となった。
【課題を解決するための手段】
【００１０】
本考案の主な目的は次の薄型変圧器を提供することにある。それは特に一次側とする第一コイル取り付け部と二次側とする雄雌係合式の第二コイル取り付け部とを備え、親子組み合わせ式とする二つの第二コイル取り付け部の二次側を一次側の第一コイル取り付け部の二つの内側空間内に配置するため、変圧器の空間を節約して垂直断面の厚みを薄くし、全体積を更に小さくし、出力パワーを変化させずに更に多くの目的を達成する。
【００１１】
本考案の第二の目的は次の薄型変圧器を提供することにある。それは第一鉄心、第二鉄心上に絶縁嵌合体を配置し、使用時は一次側とする第一コイル取り付け部のコイルがこの方向に磁束を生成するのを阻止するため、一次側コイルの生じる磁束方向を変えて二次側コイルの磁束方向と同方向にし、出力電圧の損失を最低に抑える変圧器である。
【００１２】
前述目的を達成するため、本考案は次の薄型変圧器を提供する。それは主に、第一鉄心と第二鉄心と絶縁嵌合体と第一コイル取り付け部と雄雌係合式の二つの第二コイル取り付け部とにより構成される。前記第一鉄心と第二鉄心にはそれぞれ第一突出体と第二突出体とを設け、第一コイル取り付け部は中空の嵌合口を備える対称体とし、その中央には仕切り板を設け、仕切り板の両側に形成する凹溝にはそれぞれコイルを巻き付け、第一コイル取り付け部の中空の両側にはそれぞれ嵌合口を形成し、嵌合口一側面のコイル付近箇所にはそれぞれ接続ピンを設ける。雄雌係合式の二つの第二コイル取り付け部における中空貫通形式の嵌合口一方側は仕切り板によって区切って二つの凹溝を形成し、凹溝内にはそれぞれコイルを巻き付け、他の一方側には接続ピンを延伸させ、雄雌係合式の第二コイル取り付け部に設けるコイルの一方側をそれぞれ第一コイル取り付け部の中空部の両端に設けた嵌合口に嵌入し、更に第一鉄心と第二鉄心に設けた第一突出体と第二突出体を雄雌係合式の第二コイル取り付け部に貫通する嵌合口に嵌入配置し、二つの絶縁嵌合体をそれぞれ第一鉄心と第二鉄心の両側の側辺棒に嵌合することにより組立を完了させる。第一コイル取り付け部と雄雌係合式の第二コイル取り付け部及び二つの絶縁嵌合体を相互に対応させて組み合わせるため、変圧器の垂直断面の厚みを薄くし、しかも絶縁嵌合体は使用時、コイルがこの方向に磁束を生じさせるのを阻止し、一次側と二次側のコイルが生成する磁束方向を一致させることにより、変圧器の厚みを薄くし、出力パワーを変化させないか更に高め、更に電圧損失を低下させる目的を達成する。
【考案の効果】
【００１３】
本考案の薄型変圧器は全体体積を更に小さくし出力パワーを変えないか更に高める効果を有する。
【図面の簡単な説明】
【００１４】
【図１】公知技術の立体分解図である。
【図２】公知技術の断面図である。
【図３】本考案の実施例に関する立体組立図である。
【図４】本考案の実施例に関する立体分解図である。
【図５】本考案の実施例に関する断面図（１）である。
【図６】本考案の実施例に関する断面図（２）である。
【考案を実施するための形態】
【００１５】
本考案の詳細構造、応用原理及び生じる効果については次の図面を参照とする説明によって完全に理解することができる。
【００１６】
図３及び図４は本考案の実施例に関する立体組立図及び立体分解図であり、図面の通り、本考案は主に第一鉄心１と第二鉄心２と絶縁嵌合体３と第一コイル取り付け部４と二つの第二コイル取り付け部５、５'とにより構成される。
【００１７】
前記第一鉄心１は方形のコの字形をなし、第一鉄心１の二つの側辺棒１１間には内部から第一突出体１２を延伸する。
【００１８】
前記第二鉄心２は方形のコの字形をなし、第二鉄心２の二つの側辺棒２１間には内部から第二突出体２２を延伸する。
【００１９】
前記絶縁嵌合体は第一鉄心１及び第二鉄心２のコの字形の二つの側辺棒１１及び側辺棒２１の中空嵌合部に対応する。
【００２０】
前記第一コイル取り付け部４は中空部を備える対称体であり、それは中央に仕切り板４３を設け、仕切り板４３の両側には少なくとも一つ以上の凹溝４３１を形成し、凹溝４３１にはそれぞれコイル４１及びコイル４２を巻き付け、第一コイル取り付け部４の中空部の二つの開口端にはそれぞれ嵌合口４５を配置し、嵌合口４５外側の適当箇所にはそれぞれ二つの接続ピン４４を設ける。
【００２１】
第二コイル取り付け部５はＴ字形状をなし、その中空部の一方側には仕切り板５２を設けて区切り少なくとも一つ以上の凹溝５２１を形成し、凹溝５２１内にはそれに対応するコイル５１を巻き付け、コイル５１を巻き付ける第二コイル取り付け部５の中空部には貫通する嵌合口５４を形成し、第二コイル取り付け部５の他の一方側端には複数の接続ピン５３を平行配列する。
【００２２】
第二コイル取り付け部５'はＴ字形状をなし、その中空部の一方側には仕切り板５２'を設けて区切り少なくとも一つ以上の凹溝５２１'を形成し、凹溝５２１'内にはそれに対応するコイル５１'を巻き付け、コイル５１'を巻き付ける第二コイル取り付け部５'の中空部には貫通する嵌合口５４'を形成し、第二コイル取り付け部５'の他の一方側には複数の接続ピン５３'を平行配列する。
【００２３】
組立てる場合、雄雌係合式の第二コイル取り付け部５、第二コイル取り付け部５'に設けたコイル５１及びコイル５１'の一方側をそれぞれ第一コイル取り付け部４両端に設けた嵌合口４５に嵌入し、第一鉄心１に設けた第一突出体１２を接続ピン５３の方向から第二コイル取り付け部５の嵌合口５４に嵌入した後、二つの絶縁嵌合体３の開口端をそれぞれ対応する第一鉄心１の二つの側辺棒１１に嵌合し、また、第二鉄心２の第二突出体２２を第二コイル取り付け部５'に設けた接続ピン５３'の方向から嵌合口５４'に嵌入し、更に第二鉄心２の側辺棒２１を既に第一鉄心１の側辺棒１１に取り付けた絶縁嵌合体３の他の開口端に嵌合して薄型変圧器を形成する。
【００２４】
使用時は図５及び図６に示した本考案の実施例に関する断面図(１)と（２）の通りであり、本考案の薄型変圧器には一次側と二次側を備え、第一コイル取り付け部４の接続ピン４４を一次側とし、雄雌係合式の第二コイル取り付け部５の接続ピン５３と第二コイル取り付け部５'の接続ピン５３'とを二次側とし、薄型変圧器の信号が導通した時、絶縁嵌合体３は第一鉄心１の側辺棒１１と第二鉄心２の側辺棒２１を絶縁し、一次側とする第一コイル取り付け部４のコイル４１とコイル４２と磁束を生成するため、第一コイル取り付け部４のコイル４１は第一鉄心１方向に磁束を生じさせ、コイル４２は第二鉄心２方向に磁束を生じさせ、第二コイル取り付け部５のコイル５１は第一鉄心１方向に磁束を生じさせ、第二コイル取り付け部５'のコイル５１'は第二鉄心２方向に磁束を生じさせることにより、第一コイル取り付け部４のコイル４１と第二コイル取り付け部５のコイル５１の生成する磁束は同方向のものとなり、しかも第一コイル取り付け部４のコイル４２と第二コイル取り付け部５'のコイル５１'の生成する磁束も同方向のものとなり、出力電圧の損失を低下させ、第一コイル取り付け部４の雄雌係合式と第二コイル取り付け部５及び第二コイル取り付け部５の組み合わせにより、二次側の二つの第二コイル取り付け部５と第二コイル取り付け部５'を中間に位置させる故、それは空間を節約して薄型変圧器を垂直層面の厚さに薄くし、出力パワーを変化させないか更に高める目的を達成する。
【００２５】
前述に示す通り、薄型変圧器は使用上確実に全体体積を更に小さく出力パワーを変えないか更に高める効果を有し、前記効果は確実に公知技術の欠点を改善するものであり、しかも公開使用されていないことから、特許要件に符合するものとしてここに法に依拠し実用新案の出願を行う。
【符号の説明】
【００２６】
１、１'    第一鉄心
１１      側辺棒
１２、１２'  第一突出体
２、２'    第二鉄心
２１      側辺棒
２２、２２'  第二突出体
３      絶縁嵌合体
４      第一コイル取り付け部
４１、４２  コイル
４３      仕切り板
４３１    凹溝
４４      接続ピン
４５      嵌合口
４５１    突出部
５      第二コイル取り付け部
５１      コイル
５２      仕切り板
５２１    凹溝
５３      接続ピン
５４      嵌合口
５'      第二コイル取り付け部
５１'    コイル
５２'    仕切り板
５２１'    凹溝
５３'    接続ピン
５４'    嵌合口
７      第一コイル取り付け部
７１      第一部コイル
７２      第一部接続ピン
７３      仕切り板
７４      コイル溝
７５      嵌合口
８      第二コイル取り付け部
８１      第二部コイル
８２      第二部接続ピン
８３      仕切り板
８４      コイル溝
８５      嵌合口
【図１】
0003163441.tif 000003
【図２】
0003163441.tif 000004
【図３】
0003163441.tif 000005
【図４】
0003163441.tif 000006
【図５】
0003163441.tif 000007
【図６】
0003163441.tif 000008